Podtech/llm-jp-corpus-v4-ja_patent huggingface dataset:
(57)【要約】      （修正有）【課題】リモコン本体の電池残量を知るようにしたリモコンを提供する。【解決手段】リモコンに改良を加えてリモコン自体の乾電池の電池残量を調べられれば、正確であり安上がりである。このため、リモコン本体１に豆電球２と押しボタン３を取り付けた。豆電球２は押しボタン３を押した時だけリモコン本体１の乾電池につながる回路である。そこで、押しボタン３を押せば、乾電池の電池残量が多ければ豆電球２は明るく、少ない時には暗く発光するのでリモコンの電池残量が目視で簡単にわかる。【選択図】図１
0003169746.tif 000002
【実用新案登録請求の範囲】
【請求項１】
リモコン本体に、豆電球または麦球またはＬＥＤと押しボタン
を取り付け、リモコン本体の回路とは独立した回路でつなぐ。
押しボタンを押すと豆電球などと乾電池の正電極と負電極が
つながって、乾電池の電池残量の多さによって豆電球などが
明るく発光したり暗く発光することを特徴とするリモコン。
【考案の詳細な説明】
【技術分野】
【０００１】
本考案は、以下豆電球を使用して実施した場合について説
明すると、従来のリモコンの押しボタンの他に、リモコン本体の
回路から独立した回路で乾電池の正電極と負電極につながる
回路を設けて、新たに取り付けた押しボタンを押すと豆電球
が点灯するようにして、点灯した豆電球の明るさでリモコン本
体の電池残量を知るようにしたものである。
【背景技術】
【０００２】
リモコンの電池残量の不足を判定するために、電子機器が
受信するリモコン信号の受信率の低下に着目する発明がされ
ている。しかしこの発明では、電子機器に大掛かりな改良が
必要とされ、また電子機器とリモコンの距離が離れすぎたり、
その他の混乱を招く要素も加わるので、電子機器の構造も複
雑になり、結局は電子機器の販売価格の上昇を招いてしまう。
【先行技術文献】
【特許文献】
【０００３】
【特許文献１】特開2010-21750号公報
【考案の概要】
【考案が解決しようとする課題】
【０００４】
解決しようとする問題点は、電子機器を改良せずにリモコン
自体を少しだけ改良して、リモコン本体の電池残量がどの位
有るかを把握できる様にすることである。そうすれば電子機
器に大掛かりな改良をする必要がない。電子機器とリモコンの
距離が離れていようが、その他の各種の混乱を招きかねない
要素も関係がない。
【課題を解決するための手段】
【０００５】
本考案は、リモコン本体に豆電球を取り付けて、リモコン本
体の各種のボタンの他に、新しく豆電球を点灯させるための
押しボタンを取り付けて、それを押した時の豆電球の明るさで
リモコンの電池残量を知るようにしたものである。
【０００６】
リモコン本体に、リモコン本体の回路とは別に、豆電球と押
しボタンをつないだ回路を加えておく。新しく加えた押しボタン
を押した時だけ、豆電球がリモコン本体の正電極と負電極に
につながって点灯する。
【０００７】
そこで、リモコン本体の電池残量が多いと豆電球が明るく点
灯し、豆電球が暗く点灯した時には電池残量が少ないと言う
ことが一目でわかり、電子機器本体には何の改良も必要が無
くなる。
【考案の効果】
【０００８】
この考案は、電子機器本体に何の改良も加える必要が無い
ので安上がりに製造できる。さらに、リモコン本体の電池残量
が直接表示されるので、電子機器とリモコンとの距離その他
が一切関係ない。
【０００９】
改良に必要なのは、豆電球と押しボタンと非常に簡単な回路
位なので非常に安上がりである。そして故障もほとんど起こる
ことが無い。
【００１０】
リモコン本体の電池残量は、テレビの多チャンネル化や、双
方向性通信などのために思っている以上に早く減ってしまう。
現在では気にはなっていても簡単に調べられなかったので、
ついつい電池切れになってから慌てて対応に追われている。
【００１１】
しかし、この考案のリモコンでは新しい押しボタンを押した時
に点灯する豆電球の明るさで電池残量が常時把握できて便
利である。
【図面の簡単な説明】
【００１２】
【図１】図1は本考案の１実施例のリモコンの裏側の、押しボタンで豆電球を点灯した時の平面図である。（実施例1）
【考案を実施するための形態】
【００１３】
リモコンの電池残量を知るという目的を、リモコン本体の回
路から独立した回路に、豆電球と押しボタンをつなぐと言う非
常に簡単な方法で達成した。
【実施例１】
【００１４】
図1は、本考案の1実施例の平面図であって、豆電球と押し
ボタンをリモコン本体の裏側に取り付けた場合の図面である。
図中、１はリモコン本体、２は豆電球、３は押しボタン、４は乾
電池用の蓋である。
【００１５】
豆電球２と押しボタン３は、リモコン本体の回路とは独立し
た回路であり、押しボタン３を押すとリモコン本体の乾電池の
正電極と負電極につながって豆電球を点灯する。
【００１６】
この様に構成したので、リモコンを普通に使っていて、少し
リモコンの電池残量が気になった時に、押しボタンを押して
豆電球の発光する明るさでリモコンの電池残量を知る。
【００１７】
この場合、電子機器との距離など全く関係なく、実際のリモ
コンの電池残量がわかって便利である。
【産業上の利用可能性】
【００１８】
現在のリモコン自体にほんの少しだけ改良を加えるだけで、
電子機器本体には何の改良も加える必要が無いので、非常
に安上がりに製造できる。
【００１９】
構造が非常に簡単なので故障も皆無で、リモコンの電池残
量も一目でわかるのも良い点であり、普及すれば使用者に大
いに役立つ。
【符号の説明】
【００２０】
１  リモコン本体
２  豆電球
３  押しボタン
４  乾電池用の蓋
【図１】
0003169746.tif 000003
【手続補正書】
【提出日】平成23年6月6日(2011.6.6)
【手続補正１】
【補正対象書類名】実用新案登録請求の範囲
【補正対象項目名】請求項１
【補正方法】変更
【補正の内容】
【請求項１】
リモコン本体に、豆電球または麦球またはＬＥＤと押しボタンを取り付け、リモコン本体の回路とは独立した回路で、豆電球または麦球またはＬＥＤと押しボタンのスイッチとリモコン本体の乾電池とを直列に繋ぎ、押しボタンを押すと乾電池の電池残量の多さによって豆電球または麦球またはＬＥＤが明るく発光したり暗く発光して、乾電池の電池残量を目視で確認することを特徴とするリモコン。
(57)【要約】      （修正有）【課題】ワインや果物の搾り粕を、食品添加物として再利用した大福餅を提供する。【解決手段】餅の中にワインや果物の搾り粕を入れる。【選択図】図１
0003169749.tif 000002
【実用新案登録請求の範囲】
【請求項１】
産業廃物としていたワインや各種果物の搾り粕を一度冷凍保存して置き、必要に応じて天日乾燥又は機械的電気乾燥して保管して置き、利用度に応じて粉末に仕上げ、搾り粕に含まれる種を取り除く場合は種の通過しない程の網目を通して種だけを取り除き、残ったペースト状の部分だけを乾燥させて、綺麗な微粉末に仕上げる事を特徴とするワインや各種果物の搾り粕を再利用した食品添加物の製造方法。
【請求項２】
人参や玉葱等も同様に粉末にして混ぜ合わせることが可能なことを特徴とする請求項１におけるワインや各種果物の搾り粕を再利用した食品添加物の製造方法。
【考案の詳細な説明】
【技術分野】
【０００１】この考案は通常廃棄処分されているワインや各種果物の搾り粕を再利用した、食品添加物の製造方法に関するものである。
【技術】
【０００２】従来、ワインの搾り粕や各種果物の搾り粕の一部は堆肥にしたり多少は家畜の餌にしていたが他にあまり使い道がなく廃棄する事が大部分であった。
【考案の開示】
【考案が解決しようとする課題】
【０００３】  ここれには、次のような欠点があった。
（イ）ワインの搾り粕や各種果物の搾り粕はほうって置くとすぐ悪臭が出る為、その日うちに廃棄するしかなかった。
（ロ）それらはシーズンになると膨大な量が廃棄されて居るが、公共機関の処理場もなく従って産業廃棄物として処分しているのが実情である。
（ハ）故に各ワインメーカーは多大の費用を掛けても廃棄処分せざるを得ない。
本考案は、これらの欠点を解消するためになされたものである。
【課題を解決する為の手段】
【０００４】産業廃棄物としていたワインや各種果物の搾り粕を一度冷凍保存しておき必要に応じて天日乾燥又は機械的電気乾燥して保管しておき、利用度に応じて粉末に仕上げる。搾り粕に含まれる種を取り除く場合は種の通過しない程の網目を通して種だけを取り除き残ったペースト状の部分だけを乾燥させて綺麗な微粉末に仕上げる。
以上を特徴とするワインや各種果物の搾り粕を再利用した食品添加物の製造方法である
【考案の効果】
【０００５】ワインの搾り粕や各種果物の絞り粕は、ビタミンやミネラルも多く含まれているので、すべて再利用することによって、産業廃棄物てして処分される為の膨大な費用を節約することができ、且つ今までにはなかった入浴剤や化粧石鹸が出来たり、さらに風味豊かな菓子やパン類を商品開発することができ、業界にも多大な貢献ができる。
【考案を実施する為の形態】
【０００６】以下、本考案の実施の形態について説明する
産業廃棄物として処分しかなかったワインや各種果物の搾り粕を一度冷凍保存して置き必要に応じて天日乾燥又は機械的電気乾燥してしておき、利用度に応じて粉末に仕上げる種を取り除く場合は種の通過しない程の網目を通して種だけをとりのぞき、のこったペースト状の部分だけを乾燥させて綺麗な微粉末に仕上げる。
これを実際に使用する時は、
（イ）ワインの搾り粕で入浴剤を造る場合、人参と玉葱を皮のまま加えて、すべて粉末にして、各々等分にしてよく混ぜ合わせると、それぞれがビタミンやミネラルも多く含まれている為、従来には無かった保温力のある健康的な入浴剤が出来上がる。
（ロ）上記の外、スナック菓子やパン類に利用する場合は、必要な分だけ粉末にした所に砂糖や小麦粉や米の粉を混ぜ合わせる事で、従来には無かった菓子やパンが出来上がる。
（ハ）次に、大福餅を造る場合には、餅の中に入れるあずきあんの代わりに、ワインの搾り粕や各種果物の搾り粕を再利用する事で、風味豊かな従来には無かった大福餅が出出来あがり、地域の特産物としても貢献出来る。
0003169749.tif 000003
【手続補正書】
【提出日】平成23年5月30日(2011.5.30)
【手続補正１】
【補正対象書類名】実用新案登録請求の範囲
【補正対象項目名】全文
【補正方法】変更
【補正の内容】
【実用新案登録請求の範囲】
【請求項１】
大福餅をつくる場合に、餅の中に入れる小豆あんの代わりにワインの搾り粕や各種果物の搾り粕を再利用する事を特徴とする大福餅。
【手続補正２】
【補正対象書類名】明細書
【補正対象項目名】全文
【補正方法】変更
【補正の内容】
【考案の詳細な説明】
【技術分野】
【０００１】この考案は通常廃棄処分されているワインや各種果物の搾り粕を再利用した、食品添加物を利用した菓子の製造。
【技術】
【０００２】従来、ワインの搾り粕や各種果物の搾り粕の一部は堆肥にしたり多少は家畜の餌にしていたが他にあまり使い道がなく廃棄する事が大部分であった。
【考案の開示】
【考案が解決しようとする課題】
【０００３】  ここれには、次のような欠点があった。
（イ）ワインの搾り粕や各種果物の搾り粕はほうって置くとすぐ悪臭が出る為、その日うちに廃棄するしかなかった。
（ロ）それらはシーズンになると膨大な量が廃棄されて居るが、公共機関の処理場もなく従って産業廃棄物として処分しているのが実情である。
（ハ）故に各ワインメーカーは多大の費用を掛けても廃棄処分せざるを得ない。
本考案は、これらの欠点を解消するためになされたものである。
【課題を解決する為の手段】
【０００４】産業廃棄物としていたワインや各種果物の搾り粕を一度冷凍保存しておき必要に応じて天日乾燥又は機械的電気乾燥して保管しておき、利用度に応じて粉末に仕上げる。搾り粕に含まれる種を取り除く場合は種の通過しない程の網目を通して種だけを取り除き残ったペースト状の部分だけを乾燥させて綺麗な微粉末。
以上を特徴とする上記果物の搾り粕を利用した菓子。
【図面の簡単な説明】
【０００５】
【図１】本願考案により製造した大福餅の断面図。
【手続補正３】
【補正対象書類名】図面
【補正対象項目名】全図
【補正方法】変更
【補正の内容】
【図１】
0003169749.tif 000004
(57)【要約】      （修正有）【課題】希望する寸法数値と目盛りが対応し、採寸の負担を軽減するくもの巣状物差しを提供する。【解決手段】不透明又は透明の素材に、１０本の放射線の特定点を結んで得られる渦巻き線と目盛り数字を印刷する。【選択図】図１
0003169752.tif 000002
【実用新案登録請求の範囲】
【請求項１】
10本の放射線と、放射線状の特定点を結んで得られる渦巻き線とで構成し、目盛りの数字を加えて機能させるくもの巣状物差し。
【請求項２】
不透明素材に本考案を印刷し、その上にマーキング等の対象物を乗せて操作を行う場合の他、透明素材に印刷し（図２）のように各目盛りの横に穴を開け、物差しの下に置かれた対象物にもマーキング等の操作が行える請求項１に記載のくもの巣状物差し。
【考案の詳細な説明】
【技術分野】
【０００１】
本考案は36度毎に回転させた10本の放射線と、その１本の特定点から発生し、右回りまたは左回りに放射線上を一定量ずつ移動させた点を結ぶ渦巻き線を描き、これを物差しとして活用する道具に関する。
【背景技術】
【０００２】
従来、物差しとは１本の直線上に等間隔の目盛を描くものである。この場合、目盛を読み取って被測定物の寸法を測る、または希望する寸法値に相当する目盛を見出しその位置でマーキング等を行う使用方法が基本となる。
【先行技術文献】
【特許文献】
【０００３】
実用新案出願平３−８８５８２号
【考案の概要】
【考案が解決しようとする課題】
【０００４】
本考案は物差しの使用目的をマーキングに特化し、希望する寸法値に相当する目盛位置をその数字から直線上のたった１点に直観的に見出そうとするものである。
【０００５】
従来は１mm単位での物差し上の目盛の特定は間違いを起こしやすく、視力に難がある場合などは非常に困難を極めた。
【課題を解決するための手段】
【０００６】
１本の直線上に10mm間隔で点を置き、この直線の一端を中心としながら右回りまたは左回りに36度回転させる。この時、直線上に置かれた点を回転の外周方向に１mm移動する。この操作を９回繰り返し、等間隔の点を備えた10本の放射線を得る。次に最初の直線上にある最も中心に近い点を起点とし、その隣の放射線上の中心に近い点を結んで渦巻き線を順次描く。
【０００７】
最初の直線上の点の横に10、20、30・・・と10刻みで数字を記載したら、渦巻き線に沿って次の放射線上の点の横にも11、21、31・・・と１ずつ値を増加させたやはり10刻みの数字を記載していき、更に次は12、22、32・・・と、これを９本目の放射線まで繰り返す。
【０００８】
以上の作図により、放射線の長さに従った任意の大きさのくもの巣状の物差しを得る。なお透明素材に印刷した場合は、各点に接し寸法位置を特定できる方形の微細な穴を開け、鉛筆等のマーキング用具を使用できるように作成する。
【考案の効果】
【０００９】
本考案により希望する寸法数値と目盛りが１対１で対応し、子どもや高齢者等にとっても採寸の負担を軽減することができた。
【図面の簡単な説明】
【００１０】
【図１】放射線と渦巻き線に数字を加えた完成型を示した図面である。（実施例１）
【図２】透明素材に印刷した場合、マーキング用の穴を開けた状態を示した図面である。（実施例２）
【実施例】
【００１１】
図１のように不透明素材に基本となる放射線と渦巻き線及び数字を印刷する。
【００１２】
透明素材に印刷した場合は、図２のように各点に接し寸法位置を特定できる方形の微細な穴を開ける。
【図１】
0003169752.tif 000003
【図２】
0003169752.tif 000004
【手続補正書】
【提出日】平成23年6月17日(2011.6.17)
【手続補正１】
【補正対象書類名】実用新案登録請求の範囲
【補正対象項目名】全文
【補正方法】変更
【補正の内容】
【実用新案登録請求の範囲】
【請求項１】
不透明素材に10本の放射線と、放射線状の特定点を結んで得られる渦巻き線及び目盛りの数字を加えて印刷し、その上に対象物を乗せてマーキング等の操作を行うくもの巣状物差し。
【請求項２】
透明素材に請求項１と同じパターンを印刷し、更に各目盛りの横に穴を開け、物差しの下に置かれた対象物にもマーキング等の操作が行えるくもの巣状物差し。
(57)【要約】      （修正有）【課題】垂直面にソーラーパネルを取り付け発電量が増えるベランダソーラーパネルを提供する。【解決手段】垂直面１に角度の付いたソーラーパネル２を取り付ける。垂直面に角度を付けたソーラーパネルを取り付ける事により、発電量を増やす事が出来る。角度を付けたソーラーパネル２を数ｃｍ間隔をあけて設けると良い。【選択図】図１
0003169754.tif 000002
【実用新案登録請求の範囲】
【請求項１】
ベランダの手すり、壁などの垂直面に角度を付けたソーラーパネルを数枚取り付ける。
【考案の詳細な説明】
【考案の概要】
【考案が解決しょうとする課題】
【０００１】  垂直面にソーラーパネルを取り付ける。
【課題を解決するための手段】
【０００２】  垂直面に角度を付けたソーラーパネルを数枚取り付ける。
【考案の効果】
【０００３】  垂直面に角度を付けたソーラーパネルを取り付ける事により、発電量を増やす事が出来る。
【考案を実施するための形態】
【０００４】  以下、本案の実施例について説明する。
図１，図２に基づいて垂直面１に角度を付けたソーラーパネル２を設ける、角度を付けたソーラーパネル２を数ｃｍ間隔をあけて設ける。
【図面の簡単な説明】
【０００５】
【図１】  ソーラーパネルの側面図
【図２】  ソーラーパネルの斜視図
【符号の説明】
【０００６】  １  垂直面      ２  角度の付いたソーラーパネル
【図１】
0003169754.tif 000003
【図２】
0003169754.tif 000004
【手続補正書】
【提出日】平成23年5月24日(2011.5.24)
【手続補正１】
【補正対象書類名】実用新案登録請求の範囲
【補正対象項目名】全文
【補正方法】変更
【補正の内容】
【実用新案登録請求の範囲】
【請求項１】
ベランダソーラーパネルをベランダの手すり、壁などの垂直面に角度を付け、取り付けることを特徴としたベランダソーラーパネル。
(57)【要約】      （修正有）【課題】静電容量方式タッチパネル端末へ入力の際、手の導電を防ぎ、パネル面に手を置いてもスムーズで安定した入力ができる手袋を提供する。【解決手段】手袋は、小指部、手の側面部、手の平、手の甲の親指根元部から手の側面部にかけての部分をカバーし、導電を防ぐ必要のない指は露出させる。【選択図】図２
0003169757.tif 000002
【実用新案登録請求の範囲】
【請求項１】
静電容量方式タッチパネル端末への入力の際に手の導電を防ぐ為に使用する手袋において、図２に示す小指部１と手の側面部２をカバーし、親指根元部３に手袋をまわして装着する形状とし、材質には導電性が低く、伸縮性があり、通気性の良い素材を用いた手袋。
【請求項２】
請求項１の手袋の手段に加え、図３に示すベルクロ部４を用いた形状のもので、これにより細かなサイズ調整を可能にする手袋。
【考案の詳細な説明】
【技術分野】
【０００１】本考案は静電容量方式タッチパネル端末への入力の際、手の導電を防ぎ、パネル面に手を置いてもスムーズで安定した入力ができるようにするための手袋に関するものである。
【背景技術】
【０００２】アップル社のｉｐａｄなどに用いられる静電容量方式タッチパネル端末は、指先や、導電性のあるペンなどでパネル面に触れたとき生じるわずかな電荷の変化をキャッチし、その位置を検出する技術である。通常ノートに絵や字を書く時にはノートに手を置いて安定させて書くが、静電容量方式タッチパネル端末の場合はその特性上、素手の状態でパネル面に手を置くと置いた手が導電して認識されてしまい、うまく安定した入力をすることができなかった。この問題を解決するには、従来は習字を書く時のように手をパネル面から浮かせ、入力に不要な手が導電しないように注意しながら入力するか、下記特許文献１のような通常の５本指の手袋形状で、手の全てをカバーし、親指と人差し指の２本の指の先端のみが導電するものを使用するしかなかった。
【先行技術文献】
【特許文献】
【０００３】
【特許文献１】  登録実用新案第３１６０２１１号
【考案の概要】
【考案が解決しようとする課題】
【０００４】習字のようにパネル面から手を浮かせれば入力することはできるが、うまく安定した入力をすることは困難であるし、上記特許文献１においては、通常の手袋形状で５本指全てと手首までの手の全てをカバーするため、屋外などでの使用における防寒の目的には優秀であるが、反面、手袋の厚みや装着時の違和感で手の感覚が鈍り入力の妨げになるし、導電性のあるペンを使った入力時は手袋の上からペンを握る形になり、ペンが手から滑りやすくなり、安定して握ることが困難で必要以上の力を入れてペンを握ることになり、長時間の入力は疲れを伴う。また、親指と人差し指の２本の指の先端のみが導電する構造なのでその他の指は使えず、アップル社のｉｐａｄなどの３本指を使うアプリケーションなどによっては対応できない課題、問題点がある。
【課題を解決するための手段】
【０００５】通常、静電容量方式タッチパネル端末への入力の際はノートに絵や字を書く時と同様に、小指部と手の側面部のみがパネル面に接するので、これらに対応する図２に示す小指部１および手の側面部２のみをカバーして導電を防ぐ手袋形状として、パネル面に接しないそれ以外の親指、人差し指、中指、薬指の４本の指は全て露出させる。図２に示す小指部１と手の側面部２の部分のカバーを手に安定して装着する為に親指根元部３に手袋をまわし、手に装着する。手袋の材質には導電性が低く、伸縮性があり、通気性の良い素材を用いる。手袋は左右共用にできて製造、販売コストを低減させることができる。また、別タイプとして図３に示す手の甲部にベルクロ部４を用いて、細かなサイズ調整ができるものも用意する。
【考案の効果】
【０００６】  図２に示す小指部１と手の側面部２の部分のみをカバーし、パネル面に接しないそれ以外の４本の指は全て露出させて親指根元部３に手袋をまわし、手に装着する。パネル面への導電を防ぐための必要最小限の範囲をカバーする構造なので、通常の５本指と手の平、手の甲、手首までの手の全てをカバーする手袋に比べて手の露出面積が広くなり、手首までのカバーも必要なくなり、手袋装着時の違和感が無く、導電性のあるペンを使った入力でもカバー以外の４本の指は全て露出しているのでペンを素手の状態で握ることができ、ペンが手から滑る事はなく、しっかりと握れて、必要以上の力を必要とせずに入力が可能となり、長時間の入力でも疲れない。また、カバーする必要の無い他の４本の指が露出している為に、アップル社のｉｐａｄなどの３本指を使うアプリケーションなどにも対応が可能となる。
【図面の簡単な説明】
【０００７】
【図１】  手袋本体の平面図である。
【０００８】
【図２】  手袋本体を装着した平面図である。
【０００９】
【図３】  ベルクロ付きの手袋本体を装着した平面図である。
【符号の説明】
【００１０】  １  小指部１
２  手の側面部２
３  親指根元部３
４  ベルクロ部４
【図１】
0003169757.tif 000003
【図２】
0003169757.tif 000004
【図３】
0003169757.tif 000005
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
静電容量方式タッチパネル端末への入力の際に手の導電を防ぐ為に使用する手袋において、小指部と手の側面部をカバーし、導電を防ぐ必要の無いそれ以外の指は露出させ、手の平、及び手の甲の親指根元部から手の側面部にかけての部分をカバーし、材質には導電性が低く、伸縮性があり、通気性のいい素材を用いた事を特徴とする静電容量方式タッチパネル端末用の導電防止手袋。
【請求項２】
細かなサイズ調整を可能にするベルクロ部を加えたことを特徴とする請求項１に記載の静電容量方式タッチパネル端末用の導電防止手袋。
(57)【要約】      （修正有）【課題】背後が見えるようにしたゴーグル、メガネを提供する。【解決の手段】透明にしたゴーグル、メガネの側面１の外側に鏡２を取り付ける。ゴーグル、メガネの側面の外側に鏡を付ける事により、振り返らずに背後の物が見える。【選択図】図１
0003169753.tif 000002
【実用新案登録請求の範囲】
【請求項１】
ゴーグル、メガネの側面を透明にして側面の外側に鏡を取り付ける。
【考案の詳細な説明】
【考案の概要】
【考案が解决しようとする課題】
【０００１】  この考案はゴーグル、メガネで振り返ずに背後を見る方法である。
【課題を解決するための手段】
【０００２】  ゴーグル、メガネの側面の外側に鏡を設ける。
【考案の効果】
【０００３】  ゴーグル、メガネの側面の外側に鏡を付ける事により、振り返ずに背後の物が見える。
【考案を実施するための形態】
【０００４】  本考案の実施例を説明する、図１に基ずいてゴーグル、メガネの透明にした側面１の外側に鏡２を取り付ける。
【図面の簡単な説明】
【０００５】
【図１】  ゴーグルの斜視図
【符号の説明】
【０００６】  １  透明にした側面
２  側面の外側の鏡
【図１】
0003169753.tif 000003
【手続補正書】
【提出日】平成23年5月24日(2011.5.24)
【手続補正１】
【補正対象書類名】実用新案登録請求の範囲
【補正対象項目名】全文
【補正方法】変更
【補正の内容】
【実用新案登録請求の範囲】
【請求項１】
ゴーグル、メガネの側面を透明にして側面の外側に鏡を取り付けることを特徴とするゴーグル又はメガネ。
(57)【要約】      （修正有） 【課題】着脱が簡単で、捕獲した胡蜂の廃棄が容易な捕獲箱と誘導箱を提供する。【解決手段】妻板７と側板８と天板９と下板１０と、側板と対向する位置に配置された胡蜂がすり抜け不可能な間隔で構成した線状又は格子状の網とから成り、胡蜂が進入する開口を有した箱状のものであって、当該網の上端と天板を蝶番で接合し、可動する網扉とする。誘導箱は、箱状の台座であって、下部に胡蜂を誘導する間隙と、上部に捕獲箱の胡蜂が進入する開口を台座内部に連通させた状態で装着する区画を備え、当該区画には、捕獲箱の網扉の両側を挿入して網扉が閉まった状態で固定させる溝を備える。【選択図】図１
0003169758.tif 000002
【実用新案登録請求の範囲】
【請求項１】
器の一面を、胡蜂がすり抜け不可能な間隔で構成した線状又は格子状の網とし、当該網の一辺と器を蝶番で接合し可動する網扉とした捕獲箱。
【請求項２】
請求項1に掲げる捕獲箱の網を挿入する溝を備えた台座としての誘導箱。
【考案の詳細な説明】
【技術分野】
【０００１】
本考案は、養蜂業における害虫である胡蜂（スズメバチ）を、養蜂箱の
近傍において捕獲又は退治することにより、ミツバチを保護する装置に関
するものである。
【背景技術】
【０００２】
胡蜂の捕獲又は退治を目的とする従来の装置は、巣箱の巣門にワイヤー
等で固定する捕獲器が主体であり、巣箱を地面から傾斜させて間隙を設け、
その一部を除き周囲を雑草やブロック等で遮蔽して胡蜂の誘導路を作ると
いう手法を併用することにより、その目的を達成している。
【考案の概要】
【考案が解決しようとする課題】
【０００３】
養蜂には数百単位の巣箱を保有することが一般的であるところ、個々の
巣箱に従来の装置を用いるには、装置の着脱、胡蜂の廃棄及び装置等の掃
除に多大な時間と労力を要するという問題点があった。
本考案は、かかる問題点を解決すべく、着脱が簡単で、かつ、捕獲した
胡蜂の廃棄を一動作で行って掃除を容易とする捕獲装置を得ることを目的
としている。
【課題を解決するための手段】
【０００４】
上記目的を達成するため、次のような装置を用いる。
すなわち、本考案の装置において捕獲箱と胡蜂の誘導箱（以下「台座」
という。）を、ワイヤー等で固定しない構造とし、捕獲装置を構成する
するものである。なお、当該装置は巣箱に密着させて設置する。
まず、捕獲箱は、外部に胡蜂がすり抜け不可能な間隔で構成した線状又
は格子状の戸網と、当該戸網を取り付ける箱から構成され、当該戸網の一
辺と当該箱を蝶番で接合する。
なお、捕獲箱の内部には、公知の地獄網（先端部分を切った円錐状網）
を装置する。
次いで、台座は、下部に胡蜂を誘導する間隙と、上部に捕獲器を装着す
る区画を備えた箱状のもので、当該区画には捕獲箱の戸網の両端を挿入し
て固定させる溝を設ける。
このように構成したので、台座の下部間隙から侵入した胡蜂は、巣門へ
の経路を探すうちに、捕獲箱の地獄網を抜け脱出不可能な捕獲箱内部へ誘
導され捕獲される。
廃棄に際しては、台座の溝に沿って捕獲箱をスライドさせ分離し捕獲箱
全体を傾ければ、捕獲箱の戸網が蝶番を中心に扉のように開き、一動作に
て内容物を廃棄することができ、捕獲箱の戸網の両端を台座の溝に挿入す
るだけで簡単に再装着できるものである。
【考案の効果】
【０００５】
養蜂にとって胡蜂対策は必然であるところ、従来の手法で数百単位の巣
箱に各々胡蜂の捕獲装置を設置するのは容易な作業ではなく、重大な問題
であったが、本考案の捕獲装置は、装置の着脱、胡蜂の廃棄及び装置等の
掃除を簡単に行えるものとしたため、時間及び労力の制約を希薄なものと
し、養蜂の規模を拡大化する効果を有する。
【図面の簡単な説明】
【０００６】
【図１】誘導箱（台座）及び捕獲箱の部分斜視図と、組立時の全体斜視図である。
【図２】捕獲箱の平面図、側面図及び立面図である。
【図３】誘導箱（台座）の平面図、側面図及び立面図である。
【考案の実施の形態】
【０００７】
考案の実施の形態について図面を参照して説明する。
図１において、1〜４は台座における側面板、天板、下方板及び中板で
あり、台座と巣箱を密着して設置することにより、巣箱と捕獲箱を繋ぐ通
路を構成して出入り口を１箇所とし、かつ、出入り口を巣門から遠ざけ、
巣門近傍におけるスズメバチの攻撃を回避させるものである。
【０００８】
７〜10は捕獲箱における妻板、側板、天板及び下板であり、12の戸網、
11の地獄網と共に捕獲室を構成するものである。
【０００９】
12の戸網は、上端部分を捕獲箱の天板と蝶番で接合し、扉のように開
閉可動するよう構成している。
【００１０】
５は12の戸網の両端を挿入する誘導箱ゲージスライド板（溝）であり、
捕獲箱を台座に嵌め込む際に当該溝に沿って戸網を挿入すれば、戸網が閉
まった状態で捕獲箱が固定されるので、捕獲箱を固定するためのワイヤー
等は特に必要としない。
【００１１】
６は誘導箱に明かりを取り入れる誘導箱天網（窓）である。
【００１２】
廃棄に際しては、５の誘導箱ゲージスライド板（溝）に沿って捕獲箱を
スライドさせて分離し、次いで捕獲箱全体を傾ければ、12の戸網が蝶番
を中心に扉のように開き、一動作にて内容物を廃棄することができるもの
である。
【符号の説明】
【００１３】
１  誘導箱側面板
２  誘導箱天板
３  誘導箱下方板
４  誘導箱中板
５  誘導箱ゲージスライド板
６  誘導箱天網
７  捕獲箱妻板
８  捕獲箱側板
９  捕獲箱天板
10  捕獲箱下板
11  地獄網
12  戸網
【図１】
0003169758.tif 000003
【図２】
0003169758.tif 000004
【図３】
0003169758.tif 000005
【手続補正書】
【提出日】平成23年6月13日(2011.6.13)
【手続補正１】
【補正対象書類名】実用新案登録請求の範囲
【補正対象項目名】全文
【補正方法】変更
【補正の内容】
【実用新案登録請求の範囲】
【請求項１】
妻板と側板と天板と下板と、側板と対向する位置に配置された胡蜂が
すり抜け不可能な間隔で構成した線状又は格子状の網とから成り、胡蜂
が進入する開口を有した箱状のものであって、当該網の上端と天板を蝶
番で接合し、可動する網扉としたことを特徴とする胡蜂捕獲箱。
【請求項２】
箱状の台座であって、下部に胡蜂を誘導する間隙と、上部に請求項１
の捕獲箱の胡蜂が進入する開口を台座内部に連通させた状態で装着する
区画を備え、当該区画には、胡蜂捕獲箱の網扉の両側を挿入して網扉が
閉まった状態で固定させる溝を備えたことを特徴とする台座としての胡
蜂誘導箱。
(57)【要約】      （修正有）【課題】雨傘の使用後の傘の表面に付着した雨水を、床面に滴下させずに貯水できる傘受け具を提供する。【解決手段】雨傘の石突きが挿し込まれる支え筒１と、その外方で支え筒１を支持して同心状に配設される有底筒状の雨水受け２と、該雨水受け２の底部に接合される吸盤５とから成る。本傘受け具によれば、使用後の雨傘の表面に付着した雨水は、支え筒の外周と該支え筒を支持する雨水受けの内周間に形成される貯水空間に貯水できるから床面には滴下させることがなく、貯水された雨水は所定の場所に排水できるから床面を不要に濡らすことがない。【選択図】図１
0003169706.tif 000002
【実用新案登録請求の範囲】
【請求項１】
雨傘の石突きが挿し込まれる支え筒と、その外方で該支え筒を支持して同心状に配設される有底筒状の雨水受けと、該雨水受けの底部に接合される吸盤とから成る傘受け具。
【考案の詳細な説明】
【技術分野】
【０００１】
本考案は、日用品の分野に属する傘受け具に関する。
【背景技術】
【０００２】
従来から雨天時に使用した雨傘の水切りに関する技術は種々提案されているが、使用後雨傘に付着した雨水を床面に滴下させずに処理する技術は未提案である。
【考案の概要】
【考案が解決しようとする課題】
【０００３】
本考案は、雨傘の使用後の傘の表面に付着した雨水を、床面に滴下させずに貯水できる傘受け具を提供する。
【課題を解決するための手段】
【０００４】
本考案の傘受け具は、雨傘の石突きが挿し込まれる支え筒と、その外方で該支え筒を支持して同心状に配設される有底筒状の雨水受けと、該雨水受けの底部に接合される吸盤とから成る。
【考案の効果】
【０００５】
本考案の傘受け具によれば、使用後の雨傘の表面に付着した雨水は、支え筒の外周と該支え筒を支持する雨水受けの内周間に形成される貯水空間に貯水できるから床面には滴下させることがなく、貯水された雨水は所定の場所に排水できるから床面を不要に濡らすことがない。
【図面の簡単な説明】
【０００６】
【図１】本考案に係る傘受け具Ａの斜視図。
【図２】傘受け具Ａの使用状態の説明図。
【図３】傘受け具Ａを装着した状態の雨傘Ｐの説明図。
【考案を実施するための形態】
【０００７】
本考案における支え筒と雨水受けとの関係は、雨水受けに対して所要の貯水空間を形成して支え筒を一体に配設するものから、着脱自在に配設するなどであり、また、雨水受けの底部に接合される吸盤は所要の嵌合代を以て嵌着されるものから、ネジ込みで螺合されるものなどである。
【実施例】
【０００８】
本考案を一実施例により説明すると、図１に示すように、中心部に雨傘Ｐの石突きを挿し込む支え筒１を配設し、支え筒１を包蔵して同心状に有底筒状の雨水受け２を配設するとともに、アーム３を介して前記支え筒１を一体に支持し、両者間、すなわち、支え筒１の外周と雨水受け２の内周との間に貯水空間４を形成し、雨水受け２の底部には嵌着孔２aを開口し、嵌着孔２aに吸盤５の軸部５aをきつく嵌着して成る。
このほか、支え筒１と雨水受け２との構造に関しては、雨水受け２と一体のリング状のアーム（図外）に対して中空ネジ軸状の支え筒１を着脱自在に螺合するものや、吸盤５の軸部５aをネジ軸（図外）にして雨水受け２の底部に着脱自在に螺合したり、さらには、雨水受け２の上端部外周に、ビニール製の無底筒状の細長い被覆体（図外）の下端を密着させて折りたたんだ傘全体を包蔵するものも提供できる。
【０００９】
このようにして成る傘受け具Ａは、図２に示すように、使用後の雨傘Ｐはその石突きを支え筒１に挿し込み、吸盤５を床面等に吸着させてその姿勢が保持され、雨傘Ｐの表面に付着した雨水は折りたたまれた状態で貯水空間４に滴下して貯留され、床面を濡らすことがない。
また、雨傘Ｐを使用する時点では、本考案の傘受け具Ａを携帯すればよいが、図３に示すように、石突きに支え筒１を挿し込んで傘受け具Ａを装着した状態で使用することもできる。
【産業上の利用可能性】
【００１０】
本考案の傘受け具は、傘に付着した雨水を使用後床面などに滴下させることがなく、また、雨傘使用時は簡便に携帯できる上、雨傘の石突きに装着した状態でも利用できるから、雨傘使用時の日用品としてその需要を大いに期待できる。
【符号の説明】
【００１１】
１：支え筒
２：雨水受け
２a：嵌着孔
３：アーム
４：貯水空間
５：吸盤
５a：軸部
Ｐ：雨傘
Ａ：傘受け具
【図１】
0003169706.tif 000003
【図２】
0003169706.tif 000004
【図３】
0003169706.tif 000005
(57)【要約】      （修正有）【課題】木材を使用し、取扱いが簡易な巻取り式の風呂蓋を提供する。【解決手段】複数の細長い木材板を、その側面１ａを互いに当接させた状態で並べて構成する木材製風呂蓋であって、木材板にその長手方向に直交する方向の連結線通し孔２を設け、この連結線通し孔２に伸縮可能な連結線３を通して木材板を所定の広さに結合する。木材板は、必要最低限度までの薄い厚さを有し、かつ風呂蓋を丸め易くするために、その両側縁に傾斜面４が形成されている。傾斜面４は連結線通し孔２に通した連結線３が外部から見えないように、連結線通し孔２に達しない大きさに形成される。傾斜面４の部分を部分円筒に代えることも可能である。【選択図】図３
0003169793.tif 000002
【実用新案登録請求の範囲】
【請求項１】
複数の細長い木材板を、その側面を互いに当接させた状態で並べて構成する木材製風呂蓋であって、
前記木材板はその長手方向に直交する方向の連結線通し孔を複数個有し、
該連結線通し孔に連結線を通して前記木材板を所定の広さに結合したことを特徴とする木材製風呂蓋。
【請求項２】
請求項１記載の木材製風呂蓋において、
前記木材板は、その両側縁に傾斜面を有することを特徴とする木材製風呂蓋。
【考案の詳細な説明】
【技術分野】
【０００１】  本考案は、木材による巻き取り式の風呂蓋に関する。
【背景技術】
【０００２】  従来、木製の風呂蓋は、細長い板を複数枚並べて使用している。
【考案の概要】
【考案が解決するための課題】
【０００３】  従来の木材製風呂蓋は、その開閉操作として、細長い木材板を一枚ずつ並べて風呂を閉鎖し、また、一枚ずつを取り除いて開放するという面倒さがある。
入浴時に開放のため一枚ずつを取り除いた板は、これを１枚ずつ積み重ねて端に寄せておかなければならず枚数的・重量的にも大変重なり、子供や女性、高齢者には大変不自由であった。ましてや入浴後の片付けやメンテナンスにおいては、一般生活以上の労力や、場所を取っていた。
【０００４】  従来使用されているプラスチック製の巻き取り式の風呂蓋と同様な風呂蓋を木材で作ることができないかと思料し、サンプルを何対か作り実験をした。しかしながら、現在使用されているプラスチック製品のように小さいパーツを同じ樹脂製品で接合し間隔を取り巻き取れるように施工する方法が無く、またなるだけ自然のものを使用していきたいとの考えから問題があった。
従来の巻き取り式の風呂蓋は樹脂製であって、軟質樹脂の薄肉の連結片によって連結されていて、施工性もよく気密性に優れている。しかしながら樹脂や接着剤等から発生しえる科学部質について考えた末、天然素材で作る方法を探した。また、樹脂製風呂蓋の耐久性を考えると高温多湿の環境の中、また使用していないときの乾燥に対しての劣化についても考えて自然界で共存している天然のものを使用した。
【課題を解決するための手段】
【０００５】  前記課題を解決するために、請求項１記載の考案は、複数の細長い木材板を、その側面を互いに当接させた状態で並べて構成する木材製風呂蓋であって、前記木材板はその長手方向に直交する方向の連結線通し孔を複数個有し、該連結線通し孔に連結線を通して前記木材板を所定の広さに結合したことを特徴とする。
請求項２記載の考案は、請求項１記載の木材製風呂蓋において、前記木材板は、その両側縁に傾斜面を有することを特徴とする。
【考案の効果】
【０００６】  本考案の木材による巻き取り式風呂の蓋は、お湯張り時に蓋を一枚ずつ並べなくてもよく収納時にも丸めて搬送することができ、後々のメンテナンスにも最適です。
【０００７】  天然木材の使用により、現在ユニットバス等で決められた風呂場の空間から森林の中に飛び出せる感触が得えられる効果があります。
【図面の簡単な説明】
【０００８】
【図１】  本考案の木材製風呂蓋の平面図である。
【図２】  本考案の木材製風呂蓋の半分を巻き込んだ状態を示す斜視図である。
【図３】  本考案の木材製風呂蓋の連結線通し孔を含む部分での断面図である。
【図４】  本考案の木材製風呂蓋を構成する細長い木材板の斜視図である。
【考案を実施するための形態】
【０００９】  本考案の木材製風呂蓋は、複数の細長い木材板１を、その側面１ａを互いに当接させた状態で並べて構成され、木材板１はその長手方向に直交する方向の連結線通し孔２（図３）を複数個有し、この連結線通し孔２に伸縮可能な連結線３を通して木材板１を所定の広さに結合される。
連結線通し孔２は、直径が２ｍｍ程度であり、図４では３本設けられているが、風呂の幅に応じて、長さ８００ｍｍ以上の木材板１を用いる場合は、４本以上設けることも考えられる。
木材板１は、必要最低限度までの薄い厚さを有し、かつ風呂蓋を丸め易くするために、その両側縁に傾斜面４が形成されている。傾斜面４は連結線通し孔２に通した連結線３が外部から見えないように、連結線通し孔２に達しない大きさに形成される。傾斜面４の部分を部分円筒に代えることも可能である。
入浴時において、木材板１の連結部に髪や皮膚が挟まれる等の心配に対しては、木材板１の裏面に位置する稜線部５の面取りをすることにより解決した。
図１、２において、木材製風呂蓋の一つの隅部Ａに傾斜を設けたのは、浴槽によっては水道の蛇口や何らかの設備等が付けられているので、これに対処するためであり、隅部Ａの部分については浴槽の形状により容易に施工可能である。
【００１０】  図３において、連結線３の両端は、風呂蓋の最外側木材板１０の側面１ａに固定される。固定手段としては、最外側木材板１０の側面１ａ部分の連結線通し孔２を３ｍｍ程度に大きく広げて、連結線３の両端に固定駒６を設ける構造とする。
【００１１】  木材板１の側面の形状については半円筒面にすることも考えられるが、半円筒面に対する連結線通し孔２の施工が平面に比べて困難である上に、風呂蓋上部より連結線３が目立つ問題点があるので、木材板１の形状は台形を採用した。
【００１２】    木材板１をどのように互いに連結させるかという課題は、従来の樹脂製巻き取り式風呂蓋のように同じ成分の物を施工し連結することができないため、木材板１の裏面に樹脂製シートを接着材で貼り付けて木材板１を互いに結合することも考えられるが、耐久性、環境性の面を考慮した末、最終的に耐久性を重視し連結線３を採用した。
【００１３】  木材板１を連結線３で連結するにあたり、連結線通し孔２を木材板１のどの位置に開けるかが課題となった。連結線通し孔２を木材板の側面１ａの上部に設ければ、木材製風呂蓋を非常に簡単に巻き込むことが可能であるが、連結線３が風呂蓋上方から見えてしまうので、見た目にも悪く、耐久性にも劣る。反対に、連結線通し孔２を裏面近くに設けると、風呂蓋を巻き込む際、連結線がかなり伸びないと風呂蓋は丸まらない。そこで連結線通し孔２を木材板１の傾斜部分４の側近に開けることにより風呂蓋を丸めることも容易になり、連結線３が蓋上方から見えることもない。
【符号の説明】
【００１４】１  木材板
１ａ  木材板の側面
２  連結線通し孔
３  連結線
４  傾斜面
５  稜線部
６  固定駒
１０  最外側木材板
Ａ  隅部
【図１】
0003169793.tif 000003
【図２】
0003169793.tif 000004
【図３】
0003169793.tif 000005
【図４】
0003169793.tif 000006
(57)【要約】      （修正有）【課題】デジタル変換器を使用することによって録画用監視カメラ又は防犯カメラの出力するアナログ映像をデジタル映像に変換でき、この変換した映像を当該カメラが設置されるマンション等の集合住宅の各部屋に配信するシステム。【解決手段】デジタル変換器を使用することによって、録画用監視カメラ又は防犯カメラから出力されるアナログ映像をデジタルに変換し、当該マンション等に設備される受信用共同アンテナ内の共調網に入力して、この受信用共同アンテナ内の共調網の端末部に当たる同施設の各部屋に当該カメラのライブ映像を配信させる。このシステムによって、自己の居住するマンション等内に設置された録画用監視カメラ又は防犯カメラから映し出されるライブ映像を自宅内で見ることが出来るようになる。【選択図】図１
0003169738.tif 000002
【実用新案登録請求の範囲】
【請求項１】
デジタル変換器を使用することで、録画用監視カメラ又は防犯カメラの出力するアナログ映像をデジタル映像に変換して、マンション等の集合住宅の各部屋に当該カメラのライブ映像を配信するシステム。
【請求項２】
自主館内放送用に使用されるデジタル変換器を使用して、受信用共同アンテナ内の共調網内に混合させて受信用共同アンテナの端末部に当たる各部屋にライブ映像を配信するシステム。
【考案の詳細な説明】
【技術分野】
【０００１】本考案は録画用監視カメラ又は防犯カメラから出力されるアナログ映像をデジタルに変換した映像を集合住宅の共同アンテナを利用して各部屋にデジタルに変換した映像を配信するシステムに関する【０００２】従来のシステムでは、録画用監視カメラ又は防犯カメラから出力している映像は当該マンション等の施設内にある管理室や同施設内の共用部に設置するモニターなどの画像表示機に入力している（図２）。
【考案の開示】
【考案が解決しようとする課題】
【０００３】しかし、これでは、当該マンション等に居住する者は自己の居住するマンション等内に設置された録画用監視カメラ又は防犯カメラから映し出されるライブ映像を見るためには画像表示機の設置する場所まで赴く必要があるため、長時間の映像確認については不便である。
【課題を解決するための手段】
【０００４】そこで、デジタル変換器を使用することによって、録画用監視カメラ又は防犯カメラから出力されるアナログ映像をデジタルに変換し、当該マンション等に設備される受信用共同アンテナの共調網内に入力し、同施設の各部屋に当該カメラのライブ映像を配信させることを考案した。このシステムによって、自己の居住するマンション等内に設置された録画用監視カメラ又は防犯カメラから映し出されるライブ映像を自宅内で見ることが出来る。
【考案の効果】
【０００５】よって、本考案のシステムにより、マンション等に入居する者は録画用監視カメラ又は防犯カメラのライブ映像を見るために、同施設内に設置する画像表示機の場所まで赴く必要はなくなる。また、録画用監視カメラ又は防犯カメラの目的は主に「監視することによって犯罪を抑制する」ことであるが、各部屋の居住者が自己の居住する施設の当該カメラのライブ映像を常に見ることが出来るため、大勢の監視体制となる。これによって、従来の監視体制を更に強化されることが期待でき、録画用監視カメラ又は防犯カメラの犯罪抑止効果及び抑制効果も従来よりも大きくなる。
【考案を実施するための最良の形態】
【０００６】本考案に係る録画用監視カメラ又は防犯カメラのライブ映像を配信するシステムは、当該カメラから出力されるアナログ信号を、デジタル変換器によってデジタル信号に変換した映像を同施設のマンション等の各部屋に配信するシステムであることから、同マンションに設備される受信用共同アンテナの共聴網に入力するものである。この受信用共同アンテナの共聴網は、当該施設専用のものであることから、同マンション以外には映像漏洩することがなく、同マンション内の居住者に限定して同カメラから配信されるライブ映像を見ることが出来る。デジタル変換器は、自主館内放送用に使用される変換器を使用する。
【図面の簡単な説明】
【０００７】
【図１】本考案に係る「デジタル変換器を使用して録画用監視カメラ又は防犯カメラのライブ映像をデジタル化してマンション等の集合住宅の各部屋に映像を配信する」システム図である。
【図２】従来の「録画用監視カメラ又は防犯カメラ」のシステム図である。
【符号の説明】
【０００８】１  録画用監視カメラ又は防犯カメラ
２  「１」による映像を記録するための装置
３  管理室や共用部に設置される画像表示機
４  デジタル変換器
５  混合機
６  受信用共同アンテナ（共聴網）
７  各部屋のテレビ（受信用共同アンテナの端末部）
【図１】
0003169738.tif 000003
【図２】
0003169738.tif 000004
【手続補正書】
【提出日】平成23年5月27日(2011.5.27)
【手続補正１】
【補正対象書類名】実用新案登録請求の範囲
【補正対象項目名】全文
【補正方法】変更
【補正の内容】
【実用新案登録請求の範囲】
【請求項１】
建物の区分所有等に関する法律で定める集合住宅及び賃貸契約によって入居する共同住宅（以下「マンション等の集合住宅」という）内の居住に使用されていない部分（以下「共用部分」という）に設備される録画用監視カメラ又は防犯カメラで撮影したアナログ映像を、同じマンション等の集合住宅の共用部分に設備するデジタル変換器へ入力して、当該アナログ映像をデジタル映像に変換し、これをマンション等の集合住宅の各居住部分にテレビ放映の視聴のために設備される共同受信用アンテナの共調網内に混入させることによって、各居住部分に設置される一般家庭用の視聴テレビで当該録画用監視カメラ又は防犯カメラのライブ映像が視聴できるシステム。